(57)【特許請求の範囲】
【請求項１】
容器本体の小径取付部に有天筒状の樹脂製キャップの内周係合部を着脱可能に係合する容器であって、
キャップの天井内面から複数の板状部を垂下し、板状部の先端側に上記内周係合部を備え、
前記キャップが角筒状をなすとともに、容器本体の小径取付部が円筒状をなし、キャップの角筒の角部寄りの天井内面の一部から板状部を垂下し、
前記キャップの角筒の角部の筒内面と板状部とをつなぐリブを設け、
前記リブが板状部の先端側の内周係合部を備える部分よりも天井内面側まで延在し、該リブが板状部の先端側の内周係合部を備える部分には及ばず、
前記キャップに板状部とリブが一体成形されてなる容器。
【発明の詳細な説明】
【技術分野】
【０００１】
本発明は容器に関する。
【背景技術】
【０００２】
容器本体の小径取付部に有天筒状の樹脂製キャップの内周係合部を着脱可能に係合する容器として、特許文献１、２に記載のものがある。
【０００３】
特許文献１に記載の容器では、キャップを外キャップの内部に内キャップを嵌合させた２重キャップからなるものにし、外キャップの外径を容器本体の外径と概ね同一にし、内キャップを容器本体の吐出口まわりの小径取付部に着脱可能にしている。
【０００４】
特許文献２に記載の容器では、キャップが外蓋の天井内面に筒状の内蓋を一体成形し、外蓋の外径を容器本体の外径と概ね同一にし、内蓋を容器本体の吐出口まわりの小径取付部に着脱可能にしている。
【特許文献１】実開昭62-19947
【特許文献２】特開2001-19067
【発明の開示】
【発明が解決しようとする課題】
【０００５】
特許文献１に記載の容器は、キャップが２重キャップであるがために複雑で、コスト高になる。
【０００６】
特許文献２に記載の容器は、キャップが外蓋の天井内面に筒状の内蓋を一体成形するものである。従って、キャップの樹脂成形時に、筒状の内蓋が外蓋につながる環状連結部に対応する外蓋の天井外面に、ひけを生じ易い。このひけは、外蓋の天井外面の平面部に環状に連続する凹み状になって目立ち易く、商品性を損なう。
【０００７】
本発明の課題は、容器本体の小径取付部に有天筒状の樹脂製キャップの内周係合部を着脱可能に係合する容器であって、外観性の良いキャップを簡易に成形することにある。
【課題を解決するための手段】
【０００８】
請求項１の発明は、容器本体の小径取付部に有天筒状の樹脂製キャップの内周係合部を着脱可能に係合する容器であって、キャップの天井内面から複数の板状部を垂下し、板状部の先端側に上記内周係合部を備え、前記キャップが角筒状をなすとともに、容器本体の小径取付部が円筒状をなし、キャップの角筒の角部寄りの天井内面の一部から板状部を垂下し、前記キャップの角筒の角部の筒内面と板状部とをつなぐリブを設け、前記リブが板状部の先端側の内周係合部を備える部分よりも天井内面側まで延在し、該リブが板状部の先端側の内周係合部を備える部分には及ばず、前記キャップに板状部とリブが一体成形されてなるようにしたものである。
【発明を実施するための最良の形態】
【０００９】
図１、図２の容器１は、例えば化粧液のポンプ容器又はスプレー容器であり、容器本体１０にキャップ２０を着脱可能にする。
【００１０】
容器本体１０は、本実施例では、四角型横断面のガラスびんからなり（図３）、該容器本体１０の上端開口部に上下２段階状をなす丸型横断面のＰＰ等の樹脂製（金属製でも可）内蓋１１を螺着し、該内蓋１１にポンプ１２を該内蓋１１から上方に突出するように挿着している。容器本体１０に螺着される内蓋１１の下段外周部には、図９、図１０に示す如く、円筒状の小径取付部１１Ａを突条形成している。
【００１１】
キャップ２０は、本実施例では、ＰＰ（ポリプロピレン）、ＡＢＳ（アクリロニトリルブタジエンスチレン）等の樹脂製とされ、容器本体１０と概ね同一の四角型横断面を呈する有天の角筒状をなす（図４）。キャップ２０は、図２、図４〜図８に示す如く、角筒の４つの各角部寄りの天井内面の一部から板状部２１を垂下し、該板状部２１の先端側において該キャップ２０の横断面の中心に臨む内側面に内周係合部２１Ａを突条形成している。キャップ２０の断面の中心に臨む板状部２１は、容器本体１０の内蓋１１に設けた小径取付部１１Ａの円筒状の外周に沿う円弧状に湾曲している。容器本体１０にキャップ２０を着脱するとき、板状部２１の円弧状の内側面に突状形成した内周係合部２１Ａは、内蓋１１の小径取付部１１Ａを乗り越えるとともに弾性的に撓み変形して該小径取付部１１Ａに着脱可能に係合する（図２）。そして、本実施形態では複数の板状部２１が内蓋１１を各板状部２１の内側面において内方向に向けて弾性力で挟んだ係合状態となる。また、キャップ２０は、板状部２１が対向する位置に設けられて、板状部２１が対向する位置から小径取付部１１Ａを挟んで係合状態になることが好ましい。キャップ２０が例えば三角型横断面を呈する有天の角筒状をなす場合には、３つの角部寄りに各々板状部２１が設けられ、小径取付部１１Ａを囲んで弾性力で挟んだ係合状態となる。
【００１２】
キャップ２０は、図２、図４、図６、図７に示す如く、角筒の４つの各角部の筒内面と、板状部２１の円弧状の外側面（キャップ２０の筒内面に臨む面）の円弧の中央部とをつなぐリブ２２を設けてある。キャップ２０の横断面で、板状部２１とリブ２２はＴ字状をなす（図７）。リブ２２は、キャップ２０の角筒の天井内面から板状部２１の垂下方向に沿って連続的に延在するものの、該板状部２１の先端側の内周係合部２１Ａを備える部分には及ばない。板状部２１の内周係合部２１Ａはリブ２２の下端部から片持ち支持され、キャップ２０の横断面の中心を通る外力による弾性撓み性を備える。板状部２１の垂下範囲に対する、リブ２２の下端部の設定により、内周係合部２１Ａが備える弾性撓み性を調整し、内蓋１１の小径取付部１１Ａに対する板状部２１の内周係合部２１Ａの係合力の強弱（キャップ２０の係合強度、キャップ２０の外し易さ）を調整できる。
【００１３】
尚、容器本体１０にキャップ２０を被着して係合したとき、板状部２１の下端面が内蓋１１の下端フランジ部１１Ｂに衝合し、容器本体１０に対するキャップ２０の取着高さ位置を規制する。
【００１４】
容器本体１０の外周面と、キャップ２０の外周面が概ね連続するように、容器本体１０とキャップ２０の胴部の外側横断面形状は概ね同一に成形されている。そして、容器本体１０は胴部上方に段部１３Ａを境に横断面面積が小さくなる胴細部１３Ｂを有し、容器本体１０にキャップ２０を被着して係合したときに、キャップ２０の下端側で容器本体１０の胴細部１３Ｂを覆うことにより、キャップ２０の外周面と容器本体１０の外周面は連続した印象を与える。
【００１５】
また、容器本体１０が横断面角型で、横断面角型のキャップ２０を被着して係合したときは、キャップ２０は下端側で容器本体１０の横断面角型の胴細部１３Ｂに沿うように覆うことで、キャップ２０の回転が止められる。
【００１６】
また、キャップ２０は板状部２１とリブ２２とを一体成形する。キャップ２０は金型により樹脂成形するときの型抜き性を向上するため、該板状部２１の円弧状の内側面の円弧半径を該板状部２１の垂下方向で内周係合部２１Ａの突状形成に必要な該内周係合部２１Ａの直上部短い範囲だけを大半径部２１Ｃとし、該板状部２１の大半径部２１Ｃを除いて概ね全長に渡るその余の範囲（内周係合部２１Ａを含む）を同一径の小半径部２１Ｂとしている。金型は大半径部２１Ｃに対応する短い範囲の該金型の凸部を型抜きするときだけ、板状部２１の内周係合部２１Ａを備える先端部を拡開して無理抜きするものになる。
【００１７】
本実施例によれば以下の作用効果を奏する。
(a)容器本体１０の小径取付部１１Ａに係合するキャップ２０の内周係合部２１Ａを、キャップ２０の天井内面の一部から垂下する板状部２１の先端側に備える。キャップ２０と板状部２１を一体的に樹脂成形により簡易に成形できるし、キャップ２０の板状部２１に対応するキャップ２０の天井外面にたとえひけを生じても、このひけはキャップ２０の天井外面の一部に小さく生ずるだけで目立ちにくい。
【００１８】
(b)キャップ２０が角筒状をなすときに、容器本体１０の小径取付部１１Ａが円筒状をなし、キャップ２０の角筒の角部寄りの天井内面の一部から板状部２１を垂下する。角筒状キャップ２０が容器本体１０の円筒状の小径取付部１１Ａを取り囲んで生ずる、キャップ２０内のスペースを、板状部２１の垂下領域として利用し、容器本体１０とキャップ２０をコンパクト化できる。
【００１９】
(c)キャップ２０の角筒の角部の筒内面と板状部２１とをつなぐリブ２２を設けた。板状部２１をリブ２２により補強できるし、このリブ２２に対応するキャップ２０の筒外面にたとえひけを生じても、このひけはキャップ２０の角筒の角部に生ずるものであって目立ちにくい。
【００２０】
(d)リブ２２が板状部２１の先端側の内周係合部２１Ａを備える部分よりも天井内面側まで延在する。即ち、リブ２２が板状部２１の先端側の内周係合部２１Ａを備える部分には及ばない。板状部２１の先端側に備えた内周係合部２１Ａは、リブ２２によりバックアップされずに撓み性を確保でき、容器本体１０の小径取付部１１Ａに対する繰り返し着脱性を向上できる。
【００２１】
本発明において、樹脂製キャップの外周に金冠等の別体の加飾用カバーを被着しても良い。
【００２２】
また、樹脂製キャップは四角型横断面に限定されない。
【００２３】
また、容器本体の小径取付部は、容器本体と一体成形されるものでも良い。
【図面の簡単な説明】
【００２４】
【図１】図１は容器を示す正面図である。
【図２】図２はキャップの取着状態を示す断面図である。
【図３】図３は容器本体を示す底面図である。
【図４】図４はキャップを示す下面図である。
【図５】図５は図４のV−V線に沿う断面図である。
【図６】図６は図４のVI−VI線に沿う断面図である。
【図７】図７はキャップの内周係合部を示す下端面図である。
【図８】図８はキャップの内周係合部を示す断面図である。
【図９】図９は容器本体の内蓋を示す正面図である。
【図１０】図１０は容器本体の小径取付部を示す断面図である。
【符号の説明】
【００２５】
１  容器
１０  容器本体
１１Ａ  小径取付部
２０  キャップ
２１  板状部
２１Ａ  内周係合部
２２  リブ
【図１】
0005096881.tif 000002
【図２】
0005096881.tif 000003
【図３】
0005096881.tif 000004
【図４】
0005096881.tif 000005
【図５】
0005096881.tif 000006
【図６】
0005096881.tif 000007
【図７】
0005096881.tif 000008
【図８】
0005096881.tif 000009
【図９】
0005096881.tif 000010
【図１０】
0005096881.tif 000011